(57)【要約】　　　（修正有）【課題】頻繁に清掃しなくとも、臭気や、ダニ又は蚤がつきにくいペット収容ボックスを得る。【解決手段】ペット収容ボックス１は、天井部をなす上部構造部２と、前壁、後壁、左右の側壁、及び底壁よりなる下部構造部３とにより構成し、少なくとも下部構造部３の少なくとも側壁を、有孔内壁と、外壁との二重構造にし、有孔内壁と外壁との間に炭を含有する微細多孔質シートで形成した吸着シート８を配置する。好適には、下部構造部３における側壁の外壁の上方端縁に、ほぼ１／４円弧の断面を有する樋状張り出し部９を設け、下方端縁にほぼ３／４円弧の断面を有するほぼ球状の球状張り出し部１０を設け、張り出し部９，１０に吸着シート８の互いに対向する一対の端縁に設けた玉縁１１を収容し、吸着シート８をたるみなく着脱自在に収容する構成とする。【選択図】　　図１−ａ
0003100336.tif 000002
【実用新案登録請求の範囲】
【請求項１】
　犬、猫等のペットを収容するボックスにおいて、
　天井部をなす上部構造部と、
　前壁、後壁、左右の側壁、及び底壁よりなる下部構造部と、
を具え、
　少なくとも前記下部構造部の少なくとも側壁を、有孔内壁と、この有孔内壁に対して間隔をとって設けた外壁との２重構造にし、前記有孔内壁と外壁との間に炭を含有する微細多孔質シートで形成した吸着シートを配置したことを特徴とするペット収容ボックス。
【請求項２】
　上部構造部も、やはり前壁、後壁、左右の側壁、及び底壁よりなり、下部が開放したものとし、前記下部構造部を上部が開放したものとし、前記上部構造部を前記下部構造部に着脱自在に固定するロック手段を設けた請求項１記載のペット収容ボックス。
【請求項３】
　前記下部構造部における側壁の外壁の上方端縁に、ほぼ１／４円弧の断面を有する樋状張り出し部を設け、下方端縁にほぼ３／４円弧の断面を有するほぼ球状の張り出し部を設け、前記張り出し部に吸着シートの互いに対向する一対の端縁に設けた玉縁を収容し、吸着シートをたるみなく前記有孔内壁と外壁との間の隙間に着脱自在に収容する構成とした請求項１又は２記載のペット収容ボックス。
【請求項４】
　前記下部構造部の底壁を側壁と同様の２重構造にし、底壁の外壁を前記側壁の下方端縁におけるほぼ球状の張り出し部に連続し、前記側壁の外壁と一体構造にし、底壁におけるほぼ球状の張り出し部に吸着シートの互いに対向する一対の端縁に設けた玉縁を収容し、吸着シートをたるみなく底壁の有孔内壁と外壁との間の隙間に着脱自在に収容する構成とした請求項１乃至３のうちのいずれか一項に記載のペット収容ボックス。
【請求項５】
　前記上部構造部を外側シェルと有孔内側シェルとの二重構造にし、外側シェルと有孔内側シェルとの間に炭を含有する微細多孔質シートで形成した吸着シートを挟み込んだ請求項１乃至４のうちのいずれか一項に記載のペット収容ボックス。
【請求項６】
　前記上部構造部の頂面に把手手段を設け、携行可能にした請求項１乃至５のうちのいずれか一項に記載のペット収容ボックス。
【請求項７】
　前記前壁に格子状の窓又は扉を設けた請求項１乃至６のうちのいずれか一項に記載のペット収容ボックス。
【請求項８】
　前記上部構造部の少なくとも一方の側面に通気格子を設けた請求項１乃至７のうちのいずれか一項に記載のペット収容ボックス。
【請求項９】
　前記上部構造部の下方端縁に外方に突出する水平フランジを設け、また、前記下部構造部の内壁の上方端縁に前記上部構造の水平フランジに当接する水平フランジを設けた請求項２乃至７のうちのいずれか一項に記載のペット収容ボックス。
【考案の詳細な説明】
【技術分野】
【０００１】
　本考案は、犬、猫等のペットを収容するボックスに関するものである。
【背景技術】
【０００２】
　このようなペット収容ボックスとしては、小形のペットを飛行機等の乗り物に持ち込むためのもの（例えば、非特許文献１参照。）、又は犬舎等がある。
【非特許文献１】"dogoo.com"のショッピングサイト、［online/平成１５年８月２７日検索］＜http://www.dogoo.com/shop/data/tp/petvoyager.htm＞
【考案の開示】
【考案が解決しようとする課題】
【０００３】
　このようなペット収容ボックスは、頻繁に清掃していないと、臭気や、ダニ又は蚤がついてしまう。ペットに対する盲目的な愛情を持って接している飼い主自身は、たとえ我慢できても、周囲に迷惑がかかる。飼い主にとっても、臭気や、ダニ又は蚤がつかないに越したことはない。
【０００４】
　従って、本考案は、頻繁に清掃しなくとも、臭気や、ダニ又は蚤がつきにくいペット収容ボックスを得るにある。
【課題を解決するための手段】
【０００５】
　この目的を達成するため、本考案は、犬、猫等のペットを収容するボックスにおいて、
　天井部をなす上部構造部と、
　前壁、後壁、左右の側壁、及び底壁よりなる下部構造部と、
を具え、
　前記下部構造部の少なくとも側壁を、有孔内壁と、この有孔内壁に対して間隔をとって設けた外壁との２重構造にし、前記有孔内壁と外壁との間に、炭、例えば、セラミック炭を含有する微細多孔質シートで形成した吸着シートを配置したことを特徴とする。
【考案の効果】
【０００６】
　本考案によれば、有孔内壁と外壁との間に配置した吸着シートが臭気を吸着及び脱臭し、ダニ又は蚤の発生を抑える。
【考案を実施するための最良の形態】
【０００７】
　本考案の好適な実施例によれば、上部構造部も、やはり前壁、後壁、左右の側壁、及び底壁よりなり、下部が開放したものとし、前記下部構造部を上部が開放したものとし、前記上部構造部を前記下部構造部に着脱自在に固定するロック手段を設ける
【０００８】
　また、本考案の好適な実施例によれば、前記下部構造部における側壁の外壁の上方端縁に、ほぼ１／４円弧の断面を有する樋状張り出し部を設け、下方端縁にほぼ３／４円弧の断面を有するほぼ球状の張り出し部を設け、前記張り出し部に吸着シートの互いに対向する一対の端縁に設けた玉縁を収容し、吸着シートをたるみなく前記有孔内壁と外壁との間の隙間に着脱自在に収容する構成とする。
【０００９】
　更に、本考案の好適な実施例によれば、前記下部構造部の底壁を側壁と同様の二重構造にし、底壁の外壁を前記側壁の下方端縁におけるほぼ球状の張り出し部に連続し、前記側壁の外壁と一体構造にし、底壁におけるほぼ球状の張り出し部に吸着シートの互いに対向する一対の端縁に設けた玉縁を収容し、吸着シートをたるみなく底壁の有孔内壁と外壁との間の隙間に着脱自在に収容する構成とする。
【００１０】
　更にまた、本考案の好適な実施例によれば、前記上部構造部を外側シェルと有孔内側シェルとの二重構造にし、外側シェルと有孔内側シェルとの間に炭、例えば、セラミック炭を含有する微細多孔質シートで形成した吸着シートを挟み込む。
【００１１】
　また、本考案の好適な実施例によれば、上部構造部の頂面に把手手段を設け、携行可能にする。前壁には、格子状の窓又は扉を設けると好適である。更に、上部構造部の少なくとも一方の側面に通気格子を設ける。上部構造部の下方端縁に外方に突出する水平フランジを設け、また前記上部構造の水平フランジに当接する水平フランジを前記内壁の上方端縁に設け、上部構造部及び下部構造部の水平フランジ相互を突き合わせるようにする。
【００１２】
　次に図面につき、本考案の好適な実施例を説明する。
【実施例１】
【００１３】
　図１に示す実施例の本考案によるペット収容ボックス１は、天井部をなす上部構造部であって、前壁、後壁、左右の側壁、及び底壁よりなり、下部が開放した上部構造部２と、やはり前壁、後壁、左右の側壁、及び底壁よりなり、上部が開放した下部構造部３とにより構成する。上部構造部２と下部構造部３とは別体であっても、一体であってもよい。
【００１４】
　図示の実施例では、上部構造部２の下方端縁に外方に突出する水平フランジ４を設け、また、下部構造部３の内壁の上方端縁に、上部構造の水平フランジ４に当接する水平フランジ５を設ける。図示はしないが、一方の側壁側における水平フランジ４，５の個所で上部構造部２と下部構造部３とをヒンジ連結し、他方の側壁側にロック手段を設け、上部構造部２を下部構造部３に対して開閉自在にすると好適である。このロック手段としては、バックル、マジックテープ（登録商標）等、任意のものを使用することができる。
【００１５】
　本考案によれば、少なくとも下部構造部３の少なくとも側壁を、図１（ｂ）及び（ｃ）に示すように、有孔内壁６と、この有孔内壁６に対して間隔をとって設けた外壁７との二重構造にし、有孔内壁６と外壁７との間の隙間に、炭、例えば、セラミック炭を含有する微細多孔質シートで形成した吸着シート８を挿入できるようにする。
【００１６】
　このため、下部構造部３における側壁の外壁７の上方端縁に、ほぼ１／４円弧の断面を有する樋状張り出し部９を設け、下方端縁にほぼ３／４円弧の断面を有するほぼ球状の球状張り出し部１０を設ける。これら張り出し部９，１０に、吸着シート８の互いに対向する一対の端縁に設けた玉縁１１を収容し、吸着シート８をたるみなく有孔内壁６と外壁７との間の隙間に着脱自在に収容する構成とする。この玉縁１１も炭材料で構成すると好適である。
【００１７】
　また、図示はしないが下部構造部３の底壁を側壁と同様の二重構造にし、底壁の外壁を側壁の下方端縁におけるほぼ球状の張り出し部１０に連続し、前記側壁の外壁と一体構造にし、底壁におけるほぼ球状の張り出し部１０に吸着シート８の互いに対向する一対の端縁に設けた玉縁１１を収容し、吸着シート８をたるみなく底壁の有孔内壁と外壁との間の隙間に着脱自在に収容する構成とすると好適である。
【００１８】
　図示はしないが、上部構造部２を外側シェルと有孔内側シェルとの二重構造にし、外側シェルと有孔内側シェルとの間に吸着シート８を挟み込むと好適である。上部構造部２の頂面に把手手段１２を設け、携行可能にする。また、前壁に格子状の窓１３、又は図示はしないが、開閉自在の扉を設けると好適である。更に、上部構造部２の少なくとも一方の側面に通気格子１４を設ける。
【産業上の利用可能性】
【００１９】
　本考案ペット収容ボックスは、キャリーバックとしてのみならず、固定の犬舎等としても適用することができる。また、ペット関連業界及び環境関連業界の振興に貢献することができる。
【図面の簡単な説明】
【００２０】
【図１−ａ】本考案による好適な実施例のペット収容ボックスの斜視図である。
【図１−ｂ】本考案の一部を切除して内側から見た斜視図である。
【図１−ｃ】本考案の部分断面図である。
【符号の説明】
【００２１】
　１　ペット収容ボックス
　２　上部構造部
　３　下部構造部
　４　水平フランジ（上部構造部）
　５　水平フランジ（下部構造部）
　６　有孔内壁
　７　外壁
　８　吸着シート
　９　樋状張り出し部
１０　球状張り出し部
１１　玉縁
１２　把手手段
１３　窓
１４　通気格子
【図１−ａ】
0003100336.tif 000003
【図１−ｂ】
0003100336.tif 000004
【図１−ｃ】
0003100336.tif 000005